(57)【要約】【課題】  簡便に真贋判定を行うことができるホログラム及びホログラム作製方法を提供する。【解決手段】  所定の波長の光を照射することにより判読可能である電子透かし情報を記録したことを特徴とする。【選択図】図１
2010152339.tif 000002
【特許請求の範囲】
【請求項１】
所定の波長の光を照射することにより判読可能である電子透かし情報を記録した
ことを特徴とするホログラム。
【請求項２】
前記電子透かし情報は、繰り返しパターンを用いた
ことを特徴とする請求項１に記載のホログラム。
【請求項３】
３次元イメージ及び前記電子透かし情報を共に記録した
ことを特徴とする請求項１又は請求項２に記載のホログラム。
【請求項４】
少なくとも一部に前記電子透かし情報が挿入された３次元イメージを記録した
ことを特徴とする請求項１又は請求項２に記載のホログラム。
【請求項５】
絵柄及び前記電子透かし情報を共に記録した
ことを特徴とする請求項１又は請求項２に記載のホログラム。
【請求項６】
絵柄と前記電子透かし情報を異なる角度から記録した
ことを特徴とする請求項５に記載のホログラム。
【請求項７】
少なくとも一部に前記電子透かし情報が挿入された絵柄を記録した
ことを特徴とする請求項１又は請求項２に記載のホログラム。
【請求項８】
第１感光材料に、電子透かし情報を印刷した電子透かしパターン版を密着させて配置し、前記電子透かしパターン版側から非コヒーレント光を照射するステップと、
電子透かしパターン部分以外が不感化された前記第１感光材料に散乱板を重ねて配置し、前記第１感光材料側からコヒーレント光を照射し、第１ホログラムを作製するステップと、
を有する
ことを特徴とするホログラムの作製方法。
【請求項９】
第２感光材料の第１面側に配置した被写体へ物体照明光を照射し、前記被写体から出た所定の波長を有する物体光を、前記第２感光材料に第１面側から入射させ、それと同時に、前記第２感光材料に、前記物体光の入射側と反対の第２面側から、平行光又は略平行光からなる前記物体光と同じ波長の第１参照光を、所定の入射角度で入射し、第２ホログラムを作製するステップと、
前記第１ホログラムと、前記第２ホログラムを重ねて配置し、さらに、前記第１ホログラム側に第３感光材料を配置し、前記第３感光材料側から物体光及び前記第１参照光と同じ波長の第２参照光を入射するステップと、
を有する
ことを特徴とする請求項８に記載のホログラムの作製方法。
【請求項１０】
感光材料と所定距離離して電子透かし情報を印刷した電子透かしパターン版を配置し、前記感光材料と前記電子透かしパターン版との間に凸面を前記感光材料に向けて、前記感光材料付近に焦点が配置されるように、片平凸レンズを配置するステップと、
前記感光材料と反対側から前記電子透かしパターン版に所定の波長を有する物体照明光を照射するステップと、
前記物体照明光を、前記電子透かしパターン版を透過して、物体光として前記片平凸レンズに入射し、集光させ、前記感光材料に入射させるステップと、
前記感光材料には、前記物体光の入射方向と反対側から物体照明光と同じ波長で平行又は略平行光からなる参照光を入射させるステップと、
を有する
ことを特徴とするホログラムの作製方法。
【請求項１１】
感光材料と所定距離離して絵柄版を配置し、前記感光材料と前記絵柄版との間に、凸面を前記感光材料に向けて、前記感光材料付近に焦点が配置されるように、第１片平凸レンズを配置するステップと、
前記感光材料と所定距離離して電子透かし情報を印刷した電子透かしパターン版を配置し、前記電子透かしパターン版を前記感光材料に対して前記絵柄版と同じ側に異なる角度で配置するステップと、
前記感光材料と前記電子透かしパターン版との間に、凸面を前記感光材料に向けて、前記感光材料付近に焦点が配置されるように、第２片平凸レンズを配置するステップと、
前記感光材料と反対側から前記絵柄版に所定の波長を有する第１物体照明光を、前記絵柄版を透過して、第１物体光として前記第１片平凸レンズに入射し、集光させ、前記感光材料に入射させるステップと、
前記感光材料と反対側から前記電子透かしパターン版に前記第１物体照明光と同じ波長を有する第２物体照明光を、前記電子透かしパターン版を透過して、第２物体光として前記第２片平凸レンズに入射し、集光させ、前記感光材料に入射させるステップと、
前記感光材料には、前記第１物体光及び前記第２物体光の入射方向と反対側から前記第１物体照明光及び前記第２物体照明光と同じ波長で平行又は略平行光からなる参照光を入射させるステップと、
を有する
ことを特徴とするホログラムの作製方法。
【発明の詳細な説明】
【技術分野】
【０００１】
本発明は、ホログラム及びホログラム作製方法に関し、特に、偽造防止の真贋判定に適用されるホログラム及びホログラム作製方法に関するものである。
【背景技術】
【０００２】
従来から、キャッシュカード、クレジットカード、小切手カード等のカード類、金券類、身分証明書、重要書類等のような認証とともに偽造防止を必要とする物品に対して、各種の偽造防止手段が図られている。例えば、クレジットカードにおいては、金属反射層を有するレリーフホログラムからなるレインボーホログラムが、目視によるカードの真贋判定のための認証構造としてカードの表面に設けられている。このようなホログラムの記録装置が特許文献１に開示されている。
【０００３】
しかしながら、白色光によって再生像が観察可能なレリーフホログラムの場合、偽造品と真正品の区別が容易でないという問題もあった。そこで、目視では判読困難で器具を用いて判読を可能にする方法として、微小なマイクロからナノレベルの大きさの文字等を記録することが特許文献２及び３に提案されている。
【０００４】
【特許文献１】特公昭６０−３０９４８号公報
【特許文献２】特開平１１−１３４６４０号公報
【特許文献３】特表２００７−５３２３７２号公報
【特許文献４】特開平１０−１４５７５７号公報
【非特許文献１】電子透かし技術に関する調査報告書、社団法人電子情報技術産業協会編（２００１．３）
【発明の概要】
【発明が解決しようとする課題】
【０００５】
しかしながら、従来の方法では、例えばナノレベルの微小文字を判読する場合、ホログラムと機器の精密な位置合わせが必要であり、専用の据付の機器に対して専用の位置合わせ治具を必要とするため、簡便に真贋判定を行うことは困難であった。
【０００６】
本発明は従来技術のこのような問題点に鑑みてなされたものであり、その目的は、簡便に真贋判定を行うことができるホログラム及びホログラム作製方法を提供することである。
【課題を解決するための手段】
【０００７】
上記目的を達成する本発明のホログラムは、所定の波長の光を照射することにより判読可能である電子透かし情報を記録したことを特徴とする。
【０００８】
また、前記電子透かし情報は、繰り返しパターンを用いたことを特徴とする。
【０００９】
また、３次元イメージ及び前記電子透かし情報を共に記録したことを特徴とする。
【００１０】
少なくとも一部に前記電子透かし情報が挿入された３次元イメージを記録したことを特徴とする。
【００１１】
絵柄及び前記電子透かし情報を共に記録した
ことを特徴とする請求項１又は請求項２に記載のホログラム。
【００１２】
絵柄と前記電子透かし情報を異なる角度から記録した
ことを特徴とする請求項４に記載のホログラム。
【００１３】
少なくとも一部に前記電子透かし情報が挿入された絵柄を記録したことを特徴とする。
【００１４】
さらに、本発明のホログラムの作製方法は、第１感光材料に、電子透かし情報を印刷した電子透かしパターン版を密着させて配置し、前記電子透かしパターン版側から非コヒーレント光を照射するステップと、電子透かしパターン部分以外が不感化された前記第１感光材料に散乱板を重ねて配置し、前記第１感光材料側からコヒーレント光を照射し、第１ホログラムを作製するステップと、を有することを特徴とする。
【００１５】
また、第２感光材料の第１面側に配置した被写体へ物体照明光を照射し、前記被写体から出た所定の波長を有する物体光を、前記第２感光材料に第１面側から入射させ、それと同時に、前記第２感光材料に、前記物体光の入射側と反対の第２面側から、平行光又は略平行光からなる前記物体光と同じ波長の第１参照光を、所定の入射角度で入射し、第２ホログラムを作製するステップと、前記第１ホログラムと、前記第２ホログラムを重ねて配置し、さらに、前記第１ホログラム側に第３感光材料を配置し、前記第３感光材料側から物体光及び前記第１参照光と同じ波長の第２参照光を入射するステップと、を有することを特徴とする。
【００１６】
また、感光材料と所定距離離して電子透かし情報を印刷した電子透かしパターン版を配置し、前記感光材料と前記電子透かしパターン版との間に凸面を前記感光材料に向けて、前記感光材料付近に焦点が配置されるように、片平凸レンズを配置するステップと、前記感光材料と反対側から前記電子透かしパターン版に所定の波長を有する物体照明光を照射するステップと、前記物体照明光を、前記電子透かしパターン版を透過して、物体光として前記片平凸レンズに入射し、集光させ、前記感光材料に入射させるステップと、前記感光材料には、前記物体光の入射方向と反対側から物体照明光と同じ波長で平行又は略平行光からなる参照光を入射させるステップと、を有することを特徴とする。
【００１７】
また、感光材料と所定距離離して絵柄版を配置し、前記感光材料と前記絵柄版との間に、凸面を前記感光材料に向けて、前記感光材料付近に焦点が配置されるように、第１片平凸レンズを配置するステップと、前記感光材料と所定距離離して電子透かし情報を印刷した電子透かしパターン版を配置し、前記電子透かしパターン版を前記感光材料に対して前記絵柄版と同じ側に異なる角度で配置するステップと、前記感光材料と前記電子透かしパターン版との間に、凸面を前記感光材料に向けて、前記感光材料付近に焦点が配置されるように、第２片平凸レンズを配置するステップと、前記感光材料と反対側から前記絵柄版に所定の波長を有する第１物体照明光を、前記絵柄版を透過して、第１物体光として前記第１片平凸レンズに入射し、集光させ、前記感光材料に入射させるステップと、前記感光材料と反対側から前記電子透かしパターン版に前記第１物体照明光と同じ波長を有する第２物体照明光を、前記電子透かしパターン版を透過して、第２物体光として前記第２片平凸レンズに入射し、集光させ、前記感光材料に入射させるステップと、前記感光材料には、前記第１物体光及び前記第２物体光の入射方向と反対側から前記第１物体照明光及び前記第２物体照明光と同じ波長で平行又は略平行光からなる参照光を入射させるステップと、を有することを特徴とする。
【発明の効果】
【００１８】
本発明によれば、ホログラムの再生像中に電子透かし情報を埋め込むことにより、機械認証による読取装置等で電子透かし情報を読み取り、位置合わせすることができるので、ホログラムとホログラムを判読する機器の精密な位置合わせが必要でなくなり、簡単に位置合わせをすることができ、簡便に真贋判定を行うことが可能となる。また、電子透かし情報は、通常の白色光の下では目視による認識が困難なため、偽造防止効果を高めることが可能となる。
【図面の簡単な説明】
【００１９】
【図１】第１実施形態のホログラムを作製する方法を示す図である。
【図２】第２実施形態のホログラムを作製する方法を示す図である。
【図３】第３実施形態のホログラムを作製する方法を示す図である。
【図４】第３実施形態のホログラムを再生する方法を示す図である。
【図５】第４実施形態のホログラムを作製する方法を示す図である。
【図６】第４実施形態のホログラムを再生する方法を示す図である。
【発明を実施するための形態】
【００２０】
以下、図面を参照にして本発明に係るホログラムについて説明する。本発明に係るホログラムは、目視では判読困難で、専用の読み取り機器によって判読可能な電子透かし情報を記録したものである。ここで、電子透かし情報とは、ホログラムに対して、ホログラムの特徴を損なわないように埋め込む、視認可能なホログラムの絵柄、パターン自体とは別の情報をいう（非特許文献１参照）。また、電子透かし情報としては所定のアルゴリズムによる繰り返しパターン情報が好ましい。なお、電子透かしの挿入方法、読み取り方法は特許文献４に開示されている。
【００２１】
図１は、第１実施形態のホログラムを作製する方法を示す図である。まず、図１（ａ）に示すように、フォトポリマー、銀塩材料等の第１ホログラム記録用感光材料１に、電子透かし情報を印刷したフィルム等の電子透かしパターン版２を密着させて配置し、電子透かしパターン版２側からＵＶ光等の非コヒーレント光１１を照射する。
【００２２】
次に、図１（ｂ）に示すように、電子透かしパターン部分以外が不感化された第１ホログラム記録用感光材料１に散乱板３を重ねて配置し、第１ホログラム記録用感光材料１側からレーザー光等のコヒーレント光１２を照射する。
【００２３】
すると、図１（ｃ）に示すように、電子透かしパターンが記録された第１ホログラム１’が完成する。
【００２４】
このように作製された第１ホログラム１’は、コヒーレント光１２の反対側から同じ波長の再生照明光を照射することにより再生される。ホログラムの再生像中に電子透かし情報を埋め込むことにより、機械認証による読取装置等で電子透かし情報を読み取り、位置合わせすることができるので、ホログラムとホログラムを判読する機器の精密な位置合わせが必要でなくなり、簡単に位置合わせをすることができ、簡便に真贋判定を行うことが可能となる。また、電子透かし情報は、通常の白色光の下では目視による認識が困難なため、偽造防止効果を高めることが可能となる。
【００２５】
図２は、第２実施形態のホログラムを作製する方法を示す図である。第２実施形態では、第１実施形態で作製した電子透かしパターンが記録された第１ホログラム１’を用いて３次元イメージと重畳したホログラムを作製する方法を示している。
【００２６】
まず、図２（ａ）に示すように、フォトポリマー、銀塩材料等の第２ホログラム記録用感光材料４の第１面４ａ側に配置した被写体Ｏへ物体照明光１３を照射し、被写体Ｏから出た所定の波長を有する物体光１４を、第２ホログラム記録用感光材料４に第１面４ａ側から入射させ、それと同時に、第２ホログラム記録用感光材料４に、物体光１４の入射側と反対の第２面４ｂ側から、平行光又は略平行光からなる物体光１４と同じ波長の第１参照光１５を、所定の入射角度で入射させる。
【００２７】
このように物体光１４と第１参照光１５を第２ホログラム記録用感光材料４に入射させることで、物体光１４と第１参照光１５とが干渉する。その後、第２ホログラム記録用感光材料４を後処理して第２ホログラム４’を作製する。
【００２８】
次に、図２（ｂ）に示すように、実施形態１で作製した第１ホログラム１’と、第２ホログラム４’を重ねて配置し、さらに、第１ホログラム１’側にフォトポリマー、銀塩材料等の第３ホログラム記録用感光材料５を配置し、第３ホログラム記録用感光材料５側から物体光１４及び第１参照光１５と同じ波長の第２参照光１６を入射する。
【００２９】
すると、図２（ｃ）に示すように、３次元イメージと電子透かしパターンが併せて記録された第３ホログラム５‘が完成する。
【００３０】
このように作製された第３ホログラム５’は、第２参照光１６の反対側から同じ波長の再生照明光を照射することにより再生される。ホログラムの再生像中に電子透かし情報を埋め込むことにより、機械認証による読取装置等で電子透かし情報を読み取り、位置合わせすることができるので、ホログラムとホログラムを判読する機器の精密な位置合わせが必要でなくなり、簡単に位置合わせをすることができ、簡便に真贋判定を行うことが可能となる。また、電子透かし情報は、通常の白色光の下では目視による認識が困難なため、偽造防止効果を高めることが可能となる。
【００３１】
次に、第３実施形態について説明する。第３実施形態では、レーザー再生ホログラムに絵柄と共に電子透かしパターンを記録する方法を示す。図３は、第３実施形態のレーザー再生ホログラムを作製する方法を示す図である。
【００３２】
まず、フォトポリマー、銀塩材料等のホログラム記録用感光材料２１と所定距離離して電子透かし情報を印刷したフィルム等の電子透かしパターン版２２を配置し、ホログラム記録用感光材料２１と電子透かしパターン版２２との間に凸面をホログラム記録用感光材料２１に向けて、ホログラム記録用感光材料２１付近に焦点が配置されるように、片平凸レンズ２３を配置する。
【００３３】
次に、ホログラム記録用感光材料２１と反対側から電子透かしパターン版２２に所定の波長を有する物体照明光３１を照射する。物体照明光３１は、電子透かしパターン版２２を透過して、物体光３２として片平凸レンズ２３に入射し、集光され、ホログラム記録用感光材料２１に入射する。また、ホログラム記録用感光材料２１には、物体光３２の入射方向と反対側から物体照明光３１と同じ波長で平行又は略平行光からなる参照光３３を入射させる。すると、物体光３２と参照光３３とが干渉する。その後、ホログラム記録用感光材料２１を後処理してホログラム２１’を作製する。
【００３４】
図４は、第３実施形態のレーザー再生ホログラムを再生する工程を説明するための図である。
【００３５】
作製したホログラム２１’の第１面２１ａ側から、図３に示した参照光３３と逆方向に進行する、記録時の波長の再生照明光３４を入射させると、図３における物体光３２と逆方向に進行する再生光３５が回折され、第１面２１ａ側から出射する。光散乱性スクリーン２３には、絵柄と共に電子透かしパターンが再生される。
【００３６】
このように作製されたホログラム２１’の再生像には電子透かし情報が埋め込まれていることにより、機械認証による読取装置等で電子透かし情報を読み取り、位置合わせすることができるので、ホログラムとホログラムを判読する機器の精密な位置合わせが必要でなくなり、簡単に位置合わせをすることができ、簡便に真贋判定を行うことが可能となる。また、電子透かし情報は、通常の白色光の下では目視による認識が困難なため、偽造防止効果を高めることが可能となる。
【００３７】
次に、第４実施形態について説明する。第４実施形態では、レーザー再生ホログラムに絵柄と電子透かしパターンとを異なる物体光角度で記録する方法を示す。図５は、第４実施形態のレーザー再生ホログラムを作製する方法を示す図である。
【００３８】
まず、フォトポリマー、銀塩材料等のホログラム記録用感光材料４１と所定距離離してフィルム等の絵柄版４２を配置し、ホログラム記録用感光材料４１と絵柄版４２との間に、凸面をホログラム記録用感光材料４１に向けて、ホログラム記録用感光材料４１付近に焦点が配置されるように、第１片平凸レンズ４３を配置する。
【００３９】
また、フォトポリマー、銀塩材料等のホログラム記録用感光材料４１と所定距離離して電子透かし情報を印刷したフィルム等の電子透かしパターン版４４を配置する。電子透かしパターン版４４は、ホログラム記録用感光材料４１に対して絵柄版４２と同じ側に異なる角度で配置される。ホログラム記録用感光材料４１と電子透かしパターン版４４との間には凸面をホログラム記録用感光材料４１に向けて、ホログラム記録用感光材料４１付近に焦点が配置されるように、第２片平凸レンズ４５を配置する。
【００４０】
次に、ホログラム記録用感光材料４１と反対側から絵柄版４２に所定の波長を有する第１物体照明光５１を照射する。第１物体照明光５１は、絵柄版４２を透過して、第１物体光５２として第１片平凸レンズ４３に入射し、集光され、ホログラム記録用感光材料４１に入射する。
【００４１】
また、ホログラム記録用感光材料４１と反対側から電子透かしパターン版４４に第１物体照明光５１と同じ波長を有する第２物体照明光５３を照射する。第２物体照明光５３は、電子透かしパターン版４４を透過して、第２物体光５４として第２片平凸レンズ４５に入射し、集光され、ホログラム記録用感光材料４１に入射する。
【００４２】
また、ホログラム記録用感光材料４１には、第１物体光５２及び第２物体光５４の入射方向と反対側から第１物体照明光５１及び第２物体照明光５３と同じ波長で平行又は略平行光からなる参照光５５を入射させる。すると、第１物体光５２と参照光５５、及び、第２物体光５４と参照光５５、とがそれぞれ干渉する。その後、ホログラム記録用感光材料４１を後処理してホログラム４１’を作製する。
【００４３】
図６は、第４実施形態のレーザー再生ホログラムを再生する工程を説明するための図である。
【００４４】
作製したホログラム４１’の第１面４１ａ側から、図５に示した参照光５５と逆方向に進行する、記録時の波長の再生照明光５６を入射させると、図５における第１物体光５２と逆方向に進行する第１再生光５７、及び、第２物体光５４と逆方向に進行する第２再生光５８が回折され、第１面４１ａ側から出射する。第１光散乱性スクリーン４６には第１再生光５７により絵柄が再生され、第２光散乱性スクリーン４７には第２再生光５８により電子透かしパターンが再生される。
【００４５】
このように作製されたホログラム４１’の再生像には電子透かし情報が埋め込まれていることにより、機械認証による読取装置等で電子透かし情報を読み取り、位置合わせすることができるので、ホログラムとホログラムを判読する機器の精密な位置合わせが必要でなくなり、簡単に位置合わせをすることができ、簡便に真贋判定を行うことが可能となる。また、電子透かし情報は、通常の白色光の下では目視による認識が困難なため、偽造防止効果を高めることが可能となる。
【００４６】
さらに、第４実施形態では、絵柄と電子透かしパターンを異なる方向に再生させることができるので、絵柄を偽造防止のためのダミーとして使用し、実際には電子透かしパターンを偽造防止の確認のために使用する方法等で、より偽造防止効果を高めることが可能となる。
【００４７】
なお、絵柄版４２に使用する第１物体照明光５１と電子透かしパターン版４４に使用する第２物体照明光５３とを異なる波長とし、第１物体照明光５１と第２物体照明光５３に対応して異なる波長の参照光によりホログラムを作製してもよい。この場合、第１物体照明光５１に対応する再生光によって再生される絵柄をダミーとして使用し、実際には第２物体照明光５３に対応する再生光により再生される電子透かしパターンを偽造防止の確認のために使用する方法で、より偽造防止効果を高めることが可能となる。
【００４８】
以上、本発明のホログラム及びホログラム作製方法を実施形態に基づいて説明してきたが、本発明はこれら実施形態に限定されず種々の変形が可能である。
【００４９】
例えば、本実施形態では、元々３次元イメージ又は絵柄を記録したホログラムに対して、３次元イメージ又は絵柄とは別の電子透かし情報を記録したが、あらかじめ３次元イメージ又は絵柄の少なくとも一部に電子透かし情報を挿入し、電子透かし情報が挿入された状態の３次元イメージ又は絵柄をホログラムに記録してもよい。
【００５０】
実物体が被写体の場合には、直接に被写体の最表面に電子透かし情報を書き込んだり貼り付けたりする。また、計算機ホログラムの場合には、テクスチャマッピング技術を用いて仮想３次元モデルの表面に電子透かし情報を貼り付ける。
【００５１】
このように、あらかじめ３次元イメージ又は絵柄の少なくとも一部に電子透かし情報を挿入すると、電子透かし情報の存在がさらに認識しづらくなり、より偽造防止効果を高めることが可能となる。
【符号の説明】
【００５２】
１…第１ホログラム記録用感光材料
１’…第１ホログラム
２…電子透かしパターン版
３…散乱板
４…第２ホログラム記録用感光材料
４’…第２ホログラム
５…第３ホログラム記録用感光材料
５’…第３ホログラム
１１…非コヒーレント光
１２…コヒーレント光
１３…物体照明光
１４…物体光
１５…第１参照光
１６…第２参照光
２１、４１…ホログラム記録用感光材料
２１’、４１’…ホログラム
２３…光散乱性スクリーン
３１…物体照明光
３２…物体光
３３…参照光
３４…再生照明光
３５…再生光
４２…絵柄版
４３…第１片平凸レンズ
４４…電子透かしパターン版
４５…第２片平凸レンズ
４６…第１光散乱性スクリーン
４７…第２光散乱性スクリーン
５１…第１物体照明光
５２…第１物体光
５３…第２物体照明光
５４…第２物体光
５５…参照光
５６…再生照明光
５７…第１再生光
５８…第２再生光
【図１】
2010152339.tif 000003
【図２】
2010152339.tif 000004
【図３】
2010152339.tif 000005
【図４】
2010152339.tif 000006
【図５】
2010152339.tif 000007
【図６】
2010152339.tif 000008